(57)【特許請求の範囲】
【請求項１】
撮影する被写体の画像をバックライトの照明を利用して写し出すモニタ手段と、被写体照明を行なうフラッシュ手段とを備えたカメラにおいて、
直流低電圧をコンバータ回路の発振動作によって昇圧し、昇圧トランスの出力コイルより交番電圧の出力電圧を出力させる電圧昇圧手段と、
上記バックライトを上記昇圧トランスの出力コイルに接続し、上記電圧昇圧手段の出力電圧を上記したバックライトの点灯電圧として供給する第１の給電手段と、
整流用ダイオード、メインコンデンサ、スイッチング素子の直列接続体を上記バックライトとは並列にして上記昇圧トランスの出力コイルに接続し、上記電圧昇圧手段の出力電圧をフラッシュ手段の充電電圧として供給する第２の給電手段と、
上記スイッチング素子を導通制御して上記第２の給電手段を給電動作させ、導通状態にある当該スイッチング素子を非導通制御して上記第１の給電手段を給電動作させる給電制御手段とより構成したことを特徴とするカメラに備えるモニタとフラッシュの給電装置。
【請求項２】
操作設定部の設定にしたがって上記電圧昇圧手段の出力電圧レベルを変えバックライトの明るさを調光するライト調光手段を備えたことを特徴とする請求項（１）に記載したカメラに備えるモニタとフラッシュの給電装置。
【請求項３】
フラッシュ発光による被写体反射光を受光し、その受光量が所定値になることにしたがってフラッシュ発光を停止させる調光手段を備えたことを特徴とする請求項（１）に記載したカメラに備えるモニタとフラッシュの給電装置。
【請求項４】
上記給電制御手段が上記第２の給電手段のスイッチング素子を導通制御することによって、電圧昇圧手段の出力電圧がフラッシュ手段の充電動作で降下することによりバックライトが非点灯、上記給電制御手段が上記のスイッチング素子を非導通制御することによって、電圧昇圧手段の出力電圧がフラッシュ手段の非充電動作で上昇することによりバックライトが点灯する構成としたことを特徴とする請求項（１）に記載したカメラに備えるモニタとフラッシュの給電装置。
【発明の詳細な説明】
【０００１】
【発明の属する技術分野】
この発明は、モニタ用のバックライトの給電とフラッシュ装置の充電とを一つの電源回路によって行なう構成としたカメラの給電装置に関する。
【０００２】
【従来の技術】
被写体画像を電気変換し静止画像情報として半導体メモリ或いは磁気ディスク等の記憶媒体に記憶させて撮影するカメラが、いわゆる電子スチルカメラやデジタルビデオカメラなどとして広く知られている。
【０００３】
そして、この種のカメラは、撮影する被写体を観察するため、電子ビュ−ファィンダを備えたものの他に、被写体画像を画面に映し出すモニタ・ディスプレイ装置を備えたものがある。
【０００４】
このモニタ・ディスプレイ装置（以下、単にモニタという）は、例えば、被写体画像信号を供給する液晶表示デバイスと、この液晶表示デバイスの裏側に配設されたバックライト（冷陰極放電管）とを備え、バックライトの照明によって液晶表示デバイスの画面上に被写体画像を映し出す構成となっている。
【０００５】
なお、このようなモニタは、撮影しようとする被写体画像の表示の他に、記憶媒体に一旦記憶させた被写体画像情報を読み出し、その被写体画像を表示させることができる。
【０００６】
また、上記したカメラは、被写界が暗く被写体の明るさが不足する場合、被写体照明を行なって撮影するフラッシュ装置を備えたカメラがある。
【０００７】
このフラッシュ装置（以下、単にフラッシュという）は、シャッタレリ−ズにしたがってトリガ−されるキセノン放電管がメインコンデンサの充電電荷を受けて発光する構成となっている。
【０００８】
【発明が解決しようとする課題】
上記したカメラは、モニタのバックライトを点灯させる電源回路と、フラッシュのメインコンデンサを予め充電する電源回路とを別々に備えている。
具体的には、バックライトの電源回路として直流低電圧を昇圧して交流電圧を出力するインバ−タが、フラッシュ装置の電源回路として直流低電圧を昇圧して出力するＤＣ−ＤＣコンバ−タが各々設けられている。
【０００９】
その結果、このような電源回路のための部品点数と部品組付け作業が増加し、カメラ生産のロ−コスト化に好ましくなく、また、このような回路部品の組付けスペ−スのためにカメラの小形化に困難を伴なうと言う問題があった。
【００１０】
そこで本発明では、従来の上記したようなカメラが、モニタのバックライトの電源回路としてインバ−タを、フラッシュの電源回路としてコンバ−タを備えていることにかんがみ、これらを共用できる一つの電源回路として上記した問題点を可能なる限り解決することを目的とする。
【００１１】
【課題を解決するための手段】
上記した目的を達成するため、本発明では、撮影する被写体の画像をバックライトの照明を利用して写し出すモニタ手段と、被写体照明を行なうフラッシュ手段とを備えたカメラにおいて、直流低電圧をコンバータ回路の発振動作によって昇圧し、昇圧トランスの出力コイルより交番電圧の出力電圧を出力させる電圧昇圧手段と、上記バックライトを上記昇圧トランスの出力コイルに接続し、上記電圧昇圧手段の出力電圧を上記したバックライトの点灯電圧として供給する第１の給電手段と、整流用ダイオード、メインコンデンサ、スイッチング素子の直列接続体を上記バックライトとは並列にして上記昇圧トランスの出力コイルに接続し、上記電圧昇圧手段の出力電圧をフラッシュ手段の充電電圧として供給する第２の給電手段と、上記スイッチング素子を導通制御して上記第２の給電手段を給電動作させ、導通状態にある当該スイッチング素子を非導通制御して上記第１の給電手段を給電動作させる給電制御手段とより構成したことを特徴とするカメラに備えるモニタとフラッシュの給電装置を提案する。
【００１４】
【作用】
このように構成した給電装置は、給電制御手段によってスイッチング素子を導通制御してフラッシュ手段を充電モードとし、当該スイッチング素子が導通状態にあるとき非導通制御してバックライトの点灯モードとすることができる。
つまり、上記のスイッチング素子が導通して第２の給電手段が給電動作して充電モードとなれば、電圧昇圧手段の出力電圧がフラッシュ手段の充電によって降下するため、バックライトが非点灯となる。
そして、上記スイッチング素子が非導通制御されると、第２の給電手段の給電動作に変わって第１の給電手段が給電動作し、バックライトの点灯モードとなる。
この動作でフラッシュ手段の充電が停止し、この充電停止に伴って電圧昇圧手段の出力電圧が上昇することから、バックライトが点灯する。
【００１５】
また、フラッシュ手段が充分に充電されたとき出力される検出信号、例えば、レディ信号によって第２の給電手段に設けたスイッチング素子を非導通させる構成とすることにより、第１、第２の給電手段の切換えを自動化することができる。
【００１６】
つまり、レディ信号が出力するまでは上記スイッチング素子が導通し、第２の給電手段によってフラッシュ手段が充電される。
レディ信号が出力して上記スイッチング素子が非導通となると、第２の給電手段によるフラッシュ手段の充電が停止し、電圧昇圧手段の出力電圧が上昇する。
この結果、第１の給電手段によって給電されるバックライトが点灯する。
【００１７】
また、フラッシュ撮影が行なわれ、フラッシュ手段が再度充電されるときは、電圧昇圧手段の出力電圧が降下し、バックライトが自動的に消灯し充電モ−ドとなる。
【００１８】
さらに、この給電装置は、調光手段の操作部を操作してバックライトの明るさを変えることができる。
つまり、調光手段の操作部の設定にしたがって電圧昇圧手段の出力電圧レベルが変わり、バックライトが調光される。
【００１９】
調光手段は、給電制御手段が第１の給電手段を給電動作させるに伴って動作状態に移行させる構成とする。
また、この調光手段については、入力電流を断続させて発振動作する昇圧トランスを電圧昇圧手段として設け、上記入力電流を操作部の設定にしたがって所定の時間々隔で間欠制御する入力電流制御手段によって構成することができる。
【００２０】
さらに、フラッシュ手段にはフラッシュ発光を自動調光する調光手段を備え、被写体の距離や反射状態等にしたがってフラッシュ発光量が定まるようにすることができる。
【００２１】
【発明の実施の形態】
次に、本発明の実施形態について図面に沿って説明する。
図１は給電装置の第１実施形態を示す回路図である。なお、この図面は撮影した被写体画像情報を半導体メモリ、磁気ディスクなどの記憶媒体に記憶させる構成のカメラに備えるモニタとフラッシュの電源回路について示してある。
【００２２】
この図において、１０は昇圧トランスであり、これは入力コイル１０Ｐ、出力コイル１０Ｓ、フィ−ドバックコイル１０Ｆを備えたフライバックトランスとなっている。
この昇圧トランス１０が発振用トランジスタ１１、起動抵抗１２、抵抗１３とコンデンサ１４、１５の時定数回路と共にインバ−タを形成しており、電池電源１６の直流電圧を昇圧して高電圧を出力する。
【００２３】
昇圧トランス１０の出力コイル１０Ｓには液晶表示デバイスのバックライト１７を接続した給電回路（第１の給電手段）を設け、出力コイル１０Ｓの出力電圧（インバ−タ出力）によってバックライト１７を点灯させるようになっている。
なお、バックライト１７は冷陰極の螢光放電管である。
【００２４】
また、昇圧トランス１０の出力コイル１０Ｓには整流用ダイオ−ド１８、フラッシュのメインコンデンサ１９、ＩＧＢＴ素子２０の直列接続体からなる給電回路（第２の給電手段）が設けてある。
メインコンデンサ１９は、キセノン放電管２１、トリガ−回路２２と共に公知のフラッシュ回路を形成している。
なお、ＩＧＢＴ素子２０に並列接続したコンデンサ２３と抵抗２４の直列回路はノイズキラ−として動作するものである。
【００２５】
つまり、昇圧トランス１０の出力電圧を整流用ダイオ−ド１８によって整流してフラッシュを充電するコンバ−タ回路として動作する構成となっている。
トリガ−回路２２は、トリガ−コンデンサ２５、トリガ−トランス２６、充電抵抗２７、トリガ−スイッチ２８より構成してある。
【００２６】
メインコンデンサ１９に直列接続したＩＧＢＴ素子２０は、フラッシュの充電と非充電とを切換えるモ−ド切換手段を形成し、このＩＧＢＴ素子２０の導通によってフラッシュの充電モ−ドとなり、その非導通でバックライトの点灯モ−ドに切換わる。
なお、シリコンＮチャンネルの電界効果トランジスタであるＩＧＢＴ素子２０はハイインピ−ダンスの半導体スイッチング素子であるから、同様に動作する他のスイッチング素子で置き換えることができる。
【００２７】
また、このＩＧＢＴ素子２０は電源スイッチ２９の閉成下に電源電圧をゲ−トに供給して導通させるように、そのゲ−トを電池電源１６の正極側電路に接続してある。
さらに、このＩＧＢＴ素子２０のゲ−ト〜エミッタ間にはバイアス抵抗３０とスイッチング作用のトランジスタ３１が接続してある。
【００２８】
トランジスタ３１は、メインコンデンサ１９が所定の充電電圧（フラッシュの発光準備が整ったときの充電電圧）まで充電されたとき点灯するネオンランプ３２の導通電流をベ−ス入力してＯＮする。
すなわち、メインコンデンサ１９が所定の充電電圧に達すると、ネオンランプ３２が導通し、メインコンデンサ１９、ネオンランプ３２、トランジスタ３１のベ−ス〜エミッタ、ダイオ−ド３３の経路でネオンランプの点灯電流が流れ、トランジスタ３１がＯＮする。
なお、トランジスタ３１のベ−ス〜エミッタ間に接続した抵抗３４はバイアス抵抗である。
【００２９】
トランジスタ３１はそのＯＮ動作により、ＩＧＢＴ素子２０のゲ−ト〜エミッタ間電圧を消滅させ、このＩＧＢＴ素子２０を導通から非導通にスイッチ動作させ、フラッシュ回路の充電を停止させる。
【００３０】
また、この実施形態では、昇圧トランス１０のフィ−ドバックコイル１０Ｆに並列接続したダイオ−ド３５とコンデンサ３６の直列回路体と、この直列回路体の接続部ａと発振用トランジスタ１１のベ−スとを接続したツエナ・ダイオ−ド３７と、コンデンサ３６に並列接続した放電抵抗３８とで構成した出力電圧の定電圧回路が設けてある。
【００３１】
この定電圧回路は、コンデンサ３６がフィ−ドバックコイル１０Ｆに発生するフライバック電圧によって図示極性に充電されるため、このコンデンサ３６の充電々圧が大きくなると、ツエナ・ダイオ−ド３７が導通して発振用トランジスタ１１がＯＦＦ制御される。
【００３２】
つまり、昇圧トランス１０の出力電圧が増大すれば、フィ−ドバックコイル１０Ｆに発生するフライバック電圧も増大し、このフライバック電圧にしたがってコンデンサ３６が充電される。
これより、ツエナ・ダイオ−ド３７がコンデンサ３６の充電々圧に応じて導通するため、発振用トランジスタ１１のＯＮ時間が短縮するように制御され、昇圧トランス１０の出力電圧の増大が抑制される。
【００３３】
したがって、ツエナ・ダイオ−ド３７の定電圧値によって昇圧トランス１０の出力電圧値を定めることができる。
この実施形態では、バックライト１７の点灯モ−ドにおいて発生する昇圧トランス１０の出力電圧を定電圧化することができるツエナ・ダイオ−ド３７が用いられている。
【００３４】
なお、上記した定電圧回路は、電池電源１６の電圧変動に対してもバックライト１７の給電電圧を定電圧化することができる。
その他、図１に示すコンデンサ３９は直流低電圧の安定用のコンデンサ、４０はパイロットランプ、４１は電流制限用のバラストコンデンサである。
また、発振用トランジスタ１１のベ−ス〜エミッタ間に接続したスイッチ４２は、トリガ−スイッチ２８と同期させて一時的に閉成させ、フラッシュの発光始動に当ってインバ−タ発振を一時的に停止させるものである。
なお、トリガ−スイッチ２８や上記のスイッチ４２はカメラから送られる制御信号によってＯＮ、ＯＦＦする半導体スイッチによって置き換えることができ、また、ネオンランプ３２は定電圧素子であるツエナ・ダイオ−ドによって置き換えることができる。
【００３５】
次に、上記した給電装置の動作について説明する。
電源スイッチ２９を投入すると、起動抵抗１２を通る電源電流が起動電流として発振用トランジスタ１１のベ−スに流れ、このトランジスタ１１がＯＮする。
これより、昇圧トランス１０の入力コイル１０Ｐに電源電流が流れ込む。
【００３６】
また、電源スイッチ２９の投入によって、ＩＧＢＴ素子２０のゲ−トに電源電圧が加わり、このＩＧＢＴ素子２０が導通移行状態となる。
なお、このときはネオンランプ３２が消灯しているため、トランジスタ３１がＯＦＦとなっている。
【００３７】
このとき、昇圧トランス１０の出力コイル１０Ｓに発生する出力電圧は方形波電圧となり、その出力電圧が数十ボルト〜数百ボルトとなるため、バックライト１７を点灯させる点灯電圧（数千ボルト）に達しないから、このバックライト１７は点灯しない。
【００３８】
また、その出力電圧によって流れる出力電流は整流用ダイオ−ド１８に対して逆向きとなり、その整流作用によって阻止され、フラッシュ回路には流れない。したがって、昇圧トランス１０に入力コイル電流が流れることによって磁気エネルギ−を蓄える。
【００３９】
発振用トランジスタ１１は、昇圧トランス１０が備えるコアの磁気飽和やトランジスタの飽和によってＯＮからＯＦＦに向かう。
このとき、昇圧トランス１０の各コイルには図示矢印向きの電圧が発生する。
【００４０】
すなわち、フィ−ドバックコイル１０Ｆに発生した帰還電圧をベ−スに受ける発振用トランジスタ１１が確実にＯＦＦに反転する。
また、出力コイル１０Ｓには高電圧（数千ボルト）のフライバック電圧が発生し、このフライバツク電圧によって整流用ダイオ−ド１８に順方向の出力電流が流れる。
【００４１】
したがって、ＩＧＢＴ素子２０が導通するから、出力コイル１０Ｓ、整流用ダイオ−ド１８、メインコンデンサ１９、ＩＧＢＴ素子２０、出力コイル１０Ｓのル−プで充電電流が流れ、メインコンデンサ１９が充電される。
出力コイル１０Ｓの出力電圧は、このように流れる充電電流のために降下し、この結果、バックライト１７の点灯電圧に達せず、バックライト１７が消灯したままとなる。
【００４２】
フライバック電圧は昇圧トランス１０の磁気エネルギ−の減少によって消失し、同様にフィ−ドバックコイル１０Ｆの帰還電圧も消失するため、発振用トランジスタ１１のベ−スに起動電流が流れ、このトランジスタ１１が再度ＯＮする。
【００４３】
したがって、昇圧トランス１０が入力コイル電流によって磁気エネルギ−を蓄え、発振用トランジスタ１１のその後のＯＦＦによってフライバック電圧を出力し、メインコンデンサ１９を充電する。
【００４４】
昇圧トランス１０が上記のように発振動作することにより、メインコンデンサ１９がコンバ−タ回路作用によって充電され、この充電電圧が所定値に達すると、既に述べたようにネオンランプ３２が点灯する。
これより、ネオンランプ３２の点灯電流をベ−ス入力するトランジスタ３１がＯＮし、ＩＧＢＴ素子２０が非導通にスイッチ動作するため、メインコンデンサ１９の充電が停止する。
【００４５】
フラッシュ回路の充電動作が停止すると、昇圧トランス１０の出力電圧が急上昇し、この出力電圧によってバックライト１７が点灯する。
このバックライト１７の点灯により被写体画像がモニタに映し出される。
なお、バックライト１７がフラッシュ回路の充電停止によって点灯するが、このときはインバ−タ回路動作となる。
また、このように点灯したバックライト１７は、昇圧トランス１０の発振動作を止めないかぎり、フラッシュ回路が再度充電されるまで続く。
【００４６】
フラッシュ撮影を行なう場合には、バックライト１７の点灯によってモニタに映し出された被写体画像を確認し、その状態でシャッタレリ−ズすれば、トリガ−スイッチ２８の閉成によって励起電圧が印加されたキセノン放電管２１が発光する。
この結果、フラッシュ発光を伴って撮影することができる。
【００４７】
また、このようにフラッシュ撮影することにより、メインコンデンサ１９の充電電荷が放電するから、ネオンランプ３２が消灯し、トランジスタ３１がＯＮからＯＦＦとなる。
このため、ＩＧＢＴ素子２０が再び導通状態となり、フラッシュ回路の充電動作に移る。
【００４８】
上記したように、フラッシュ回路の充電が停止するまでの間バックライト１７が消灯し、その後、バックライト１７が点灯し、モニタに被写体画像が映し出される。
そして、フラッシュ撮影するまでの間はバックライト１７の点灯が続き、フラッシュ撮影が行なわれると、バックライト１７が消灯してフラッシュ回路が充電される。
【００４９】
図２は第２実施形態として示した給電装置の回路図である。
この第２実施形態の給電装置は上記した第１実施形態の給電装置に対し、バックライト１７の調光回路とフラッシュ発光の自動調光回路とを備えた回路構成となっている。
したがって、図１に示す回路部及び回路部材と同じものについては同一の参照符号を付してその説明を省略する。
【００５０】
図示するように、この給電装置回路は、電源スイッチ２９の閉成下に電源電圧信号ＳＯを入力し、ＩＧＢＴ素子２０のゲ−ト制御信号Ｓ１を出力する制御演算回路５０を備えている。
そして、この制御演算回路５０が、シャッタ動作に同期して閉成するトリガ−スイッチ５１のトリガ−信号、フラッシュ発光による被写体反射光を受光する受光器５２の受光信号、バックライト１７の調光操作部（可変抵抗）５３の調光操作信号、操作スイッチ５４の操作による充電停止信号を入力し、制御信号Ｓ２〜Ｓ６を出力する構成としてある。
【００５１】
先ず、トリガ−スイッチ５１からトリガ−信号を入力したときは、発光始動信号（Ｈｉｇｈレベル信号）Ｓ２を出力しＩＧＢＴ素子５５を導通させると共に、発振停止信号Ｓ３を出力して昇圧トランス１０の発振動作を一時的に停止させる。
なお、この実施形態では図１のスイッチ４２が半導体スイッチ素子としてあり、上記発振停止信号Ｓ３によってこのスイッチ素子を導通させて一時的に発振を停止させる。
【００５２】
受光器５２の受光信号は、この受光信号の積分値が所定値に達したときに発光停止信号（Ｌｏｗレベル信号）Ｓ４を出力する。
この発光停止信号Ｓ４は上記した発光始動信号Ｓ２を消失させてＩＧＢＴ素子５５を非導通とする。
【００５３】
調光操作部５３から調光操作信号を入力したときは、調光信号（パルス信号）Ｓ５を出力し、調光操作部５３の操作に対応してバックライト１７の明るさを変える。
【００５４】
操作スイッチ５４の操作信号を入力したときは、充電停止信号（Ｈｉｇｈレベル信号）Ｓ６を出力してトランジスタ３１をＯＮさせる。
つまり、メインコンデンサ１９が充電過程にある任意のときに、操作スイッチ５４を操作することにより、トランジスタ３１をＯＮ、ＩＧＢＴ素子２０を非導通としてメインコンデンサ１９の充電を停止させてバックライト１７の点灯モ−ドに移行させる。
【００５５】
また、この制御演算回路５０は、ツエナ・ダイオ−ド５６が導通し、その導通信号によりトランジスタ３１がＯＮしたとき、そのＯＮ信号（Ｌｏｗレベル信号）Ｓ７を入力し、フラッシュの充電モ−ドからバックライト１７の点灯モ−ドに切換え、この点灯モ−ドにおいて調光信号Ｓ５を出力する。
【００５６】
一方、図示するブロック５７は、図１に示した発振用トランジスタ１１、時定数回路（１３、１４、１５）、定電圧回路（３５、３６、３７）などを含む発振起動回路を示している。
【００５７】
また、この給電装置回路では、キセノン放電管２１の放電電流路にダイオ−ド５８とＩＧＢＴ素子５５を接続し、このＩＧＢＴ素子５５を導通させてトリガ−回路２２を動作させ、このＩＧＢＴ素子５５を非導通としてキセノン放電管２１の発光を停止させる構成としてある。
【００５８】
この実施形態の給電装置は、電源スイッチ２９を閉成させた時点では、ツエナ・ダイオ−ド５６が非導通、充電停止信号Ｓ６がＬｏｗレベルとなっているため、トランジスタ３１がＯＦＦであり、制御演算回路５０がフラッシュの充電モ−ドに移行させる。
【００５９】
したがって、制御演算回路５０が電源スイッチ２９の閉成にしたがってゲ−ト制御信号Ｓ１を出力し、ＩＧＢＴ素子２０を導通状態に移行させる。
また、電源スイッチ２９の閉成によって昇圧トランス１０が発振動作し、そのフライバック電圧の出力によってメインコンデンサ１９が充電される。
【００６０】
メインコンデンサ１９が所定の充電電圧に充電されると、ツエナ・ダイオ−ド５６が導通し、その導通電流によってトランジスタ３１がＯＮする。
このトランジスタ３１のＯＮによってＩＧＢＴ素子２０が非導通となり、メインコンデンサ１９の充電を停止する。
メインコンデンサ１９の充電が停止することにより、昇圧トランス１０の出力電圧が上昇し、バックライト１７が点灯する。
【００６１】
以上の動作は第１実施形態と変わりがないところであるが、トランジスタ３１がＯＮすることで、そのＯＮ信号Ｓ７が制御演算回路５０に入力し、この制御演算回路５０がバックライト１７の点灯モードに移行し、調光信号Ｓ５を出力する。
【００６２】
調光信号Ｓ５はパルス信号であって、発振用トランジスタのＯＮ、ＯＦＦを間欠制御するようにそのトランジスタのベ−ス電流を制御する。
したがって、この調光信号Ｓ５のパルスデュ−ティ比を調光操作部５３の操作設定により変えれば、その操作設定に応じて昇圧トランス１０の出力電圧レベルが変わり、バックライト１７を調光することができる。
【００６３】
一方、フラッシュ撮影する場合には、シャッタレリ−ズすることにより、トリガ−スイッチ５１が閉成し、制御演算回路５０より発光始動信号Ｓ２が出力する。
これより、ＩＧＢＴ素子５５が導通し、メインコンデンサ１９の充電電圧とコンデンサ２３の充電電圧が加算されてキセノン放電管２１に印加され、また、トリガ−コンデンサ２５の電荷がこのＩＧＢＴ素子５５とトリガ−トランス２６を通って放電し、トリガ−回路２２の動作によりキセノン放電管２１がトリガ−されることから、キセノン放電管２１が放電を開始する。
【００６４】
なお、キセノン放電管２１の発光は、メインコンデンサ１９の充電電荷が、キセノン放電管２１、ダイオ−ド５８、ＩＧＢＴ素子５５、ダイオ−ド３３の経路で放電することによつて行なわれる。
また、キセノン放電管２１の発光により、被写体反射光が受光器５２によって受光され、受光信号が制御演算回路５０に入力する。
【００６５】
これより、受光信号の積分が所定値に達したとき制御演算回路５０がＬｏｗレベルの発光停止信号Ｓ４を出力する。
この発光停止信号Ｓ４によりＩＧＢＴ素子５５が非導通となり、キセノン放電管２１の放電電流を遮断して発光停止する。
【００６６】
上記のフラッシュ発光により、メインコンデンサ１９の充電電圧が降下し、ツエナ・ダイオ−ド５６が非導通となることから、トランジスタ３１がＯＦＦに復動する。
これより、制御演算回路５０がフラッシュの充電モ−ドに切換り、ゲ−ト制御信号Ｓ１を出力してＩＧＢＴ素子２０を再度導通させる。
したがって、メインコンデンサ１９が上記同様にして充電される。
【００６７】
一方、メインコンデンサ１９の充電中に操作スイッチ５４を閉成させると、制御演算回路５０が充電停止信号Ｓ６を出力する。
これより、トランジスタ３１がＯＮし、ＩＧＢＴ素子２０を非導通とすると共に、制御演算回路５０がバックライト１７の点灯モ−ドに移行する。
この結果、フラッシュの充電中であっても操作スイッチ５４を閉成させれば、直ちにバックライト１７が点灯し、モニタの被写体画像を見ることができる。
【００６８】
【発明の効果】
上記した通り、本発明の給電装置は、モニタのバックライトを点灯させるインバ−タ電源回路と、フラッシュを充電するコンバ−タ電源回路とを一つの電圧昇圧手段で構成したので、モニタとフラッシュの電源部構成が簡単となり、カメラの小形化と生産のロ−コスト化に極めて有利となる。
【００６９】
また、バックライトの調光手段を備えたので、モニタの明るさを任意に調整することができ、さらに、フラッシュ発光の調光手段を備えたことから、フラッシュ撮影において適正露光を得ることができる。
【図面の簡単な説明】
【図１】本発明の第１実施形態として示した給電装置の回路図である。
【図２】本発明の第２実施形態として示した給電装置の回路図である。
【符号の説明】
１０  昇圧トランス
１１  発振用トランジスタ
１６  電池電源
１７  バックライト
１８  整流用ダイオ−ド
１９  メインコンデンサ
２０  ＩＧＢＴ素子
２１  キセノン放電管
２２  トリガ−回路
３１  トランジスタ
３２  ネオンランプ
５０  制御演算回路
５１  トリガ−スイッチ
５２  受光器
５３  調光操作部
５５  ＩＧＢＴ素子
【図１】
0004154706.tif 000002
【図２】
0004154706.tif 000003